(57)【要約】【課題】主被写体とは異なる被写体が焦点信号に与える影響を抑制し、安定したオートフォーカス制御を行えるようにする。【解決手段】撮像手段の出力信号中より抽出される画像のコントラストに対応する焦点信号に基づいて焦点調節を行う自動焦点調節装置において、前記撮像手段の画面中にオートフォーカス領域を設定する設定手段（Ｓ４０２）と、前記オートフォーカス領域に対応する前記撮像手段の出力信号中より複数の抽出特性の焦点信号を抽出する抽出手段（Ｓ４０３，Ｓ４０４）と、前記設定されたオートフォーカス領域の状態に応じた抽出特性の焦点信号を選択する選択手段（Ｓ４０４）とを有する。【選択図】図４
2008046226.tif 000002
【特許請求の範囲】
【請求項１】
撮像手段の出力信号中より抽出される画像のコントラストに対応する焦点信号に基づいて焦点調節を行う自動焦点調節装置において、
前記撮像手段の画面中にオートフォーカス領域を設定する設定手段と、
前記オートフォーカス領域に対応する前記撮像手段の出力信号中より複数の抽出特性の焦点信号を抽出する抽出手段と、
前記設定されたオートフォーカス領域の状態に応じた抽出特性の焦点信号を選択する選択手段とを有することを特徴とする自動焦点調節装置。
【請求項２】
前記設定されたオートフォーカス領域の状態とは、前記撮像手段の画面上の位置あるいは大きさであることを特徴とする請求項１に記載の自動焦点調節装置。
【請求項３】
前記抽出手段はバンドパスフィルタを含み、前記抽出特性は、前記バンドパスフィルタの周波数特性であることを特徴とする請求項１または２に記載の自動焦点調節装置。
【請求項４】
前記選択手段は、主被写体以外に他の被写体の存在の可能性が高いオートフォーカス領域については、高周波成分の抽出特性の焦点信号は選択せず、低周波成分の抽出特性の焦点信号を選択することを特徴とする請求項１ないし３に記載の自動焦点調節装置。
【請求項５】
二種類以上の異なる記録フォーマットのうちのいずれかへの選択に応じて、前記選択手段の動作を許容し、あるいは禁止することを特徴とする請求項１ないし４のいずれかに記載の自動焦点調節装置。
【請求項６】
前記記憶フォーマットは、解像度を定めるフォーマットであることを特徴とする請求項１ないし５に記載の自動焦点調節装置。
【請求項７】
請求項１ないし６のいずれかに記載の自動焦点調節装置を具備することを特徴とする撮像装置。
【発明の詳細な説明】
【技術分野】
【０００１】
本発明は、ビデオカメラ等に用いられる自動焦点調節装置および撮像装置に関するものである。
【背景技術】
【０００２】
近年、ビデオカメラの自動焦点調節装置は、撮像素子等により被写体像を光電変換して得られた映像信号中より画面の鮮鋭度を表す焦点信号（焦点評価値）を検出し、その焦点信号が最大となるようにフォーカスレンズ位置を制御して焦点調節を行う方式が主流である。
【０００３】
上記焦点信号は、一般にバンドパスフィルタにより抽出された映像信号の高周波成分を使用している。通常の被写体像を撮影した場合、図２のように、焦点が合ってくるに従ってその値は大きくなり、レベルが最大になる点が合焦位置となる。この焦点信号の特性として、映像信号の帯域に対してバンドパスフィルタの中心周波数を高くすると、図２に点線で示されるように山の形状は急峻になり、中心周波数を低くすると、図２に実線で示されるように山の形状がなだらかになることが知られている。
【０００４】
上記焦点信号を抽出するバンドパスフィルタの周波数特性は、合焦点前後にてフォーカスレンズを焦点深度内に動かすことで十分な焦点信号の減少が得られるため、明確に焦点信号のピークを判定することが可能である。また、フォーカスレンズが合焦点から遠い位置にある場合でも、フォーカスレンズを焦点深度程度移動させることにより明確な焦点信号の差分が得られ、合焦方向が判定できるようになっている。
【０００５】
上記のような映像信号を利用した自動焦点調節装置においては、次のような問題点があった。
【０００６】
図３に示すように、撮影画面中央の第１測距枠内部に焦点をあてるべき主被写体Ａが存在したとする。この場合、第１測距枠の周辺に位置する第２測距枠内部に、主被写体Ａとは異なる被写体Ｂが存在した場合、抽出される焦点信号には被写体Ｂの影響を受けてしまう。
【０００７】
ここで、主被写体Ａと被写体Ｂが等距離にあれば問題は生じないが、それらの距離が異なる場合には撮影者の意図に反して主被写体Ａではなく被写体Ｂに焦点が合ってしまうことがある。さらに、このような状況では手ぶれ等の影響を受けやすく、被写体Ｂが第２測距枠の内部に入ったり出たりすることにより、焦点信号の変動を引き起こしてオートフォーカス動作が不安定になる。
【０００８】
このような課題に対して、特許文献１では、第１測距枠と第２測距枠でフォーカスレンズの合焦位置が異なる場合、第１測距枠の焦点信号から合焦位置を割り出すことにより、背景に焦点が合ってしまうことを無くすようにしている。
【特許文献１】特開２００４−３０９７２２号公報
【発明の開示】
【発明が解決しようとする課題】
【０００９】
しかしながら、上記の従来装置では、基本的に中央優先となるため、撮影者が柔軟に構図を変更することが困難である。さらに、主被写体が第１測距枠から外れて一瞬中抜け状態となったときに、誤って背景に合焦してしまうため、この問題の根本的な解決策には至っていない。
【００１０】
（発明の目的）
本発明の目的は、主被写体とは異なる被写体が焦点信号に与える影響を抑制し、安定したオートフォーカス制御を行うことのできる自動焦点調節装置および撮像装置を提供しようとするものである。
【課題を解決するための手段】
【００１１】
上記目的を達成するために、本発明は、撮像手段の出力信号中より抽出される画像のコントラストに対応する焦点信号に基づいて焦点調節を行う自動焦点調節装置において、前記撮像手段の画面中にオートフォーカス領域を設定する設定手段と、前記オートフォーカス領域に対応する前記撮像手段の出力信号中より複数の抽出特性の焦点信号を抽出する抽出手段と、前記設定されたオートフォーカス領域の状態に応じた抽出特性の焦点信号を選択する選択手段とを有する自動焦点調節装置とするものである。
【００１２】
上記目的を達成するために、本発明は、上記本発明の自動焦点調節装置を具備する撮像装置とするものである。
【発明の効果】
【００１３】
本発明によれば、主被写体とは異なる被写体が焦点信号に与える影響を抑制し、安定したオートフォーカス制御を行うことができる自動焦点調節装置または撮像装置を提供できるものである。
【発明を実施するための最良の形態】
【００１４】
本発明を実施するための最良の形態は、以下の実施例１および実施例２に示す通りである。
【実施例１】
【００１５】
図１は本発明の実施例1に係る撮像装置の回路構成を示すブロック図である。図１において、１０１は固定の第１群レンズ、１０２は変倍を行う変倍レンズ、１０３は絞り、１０４は固定の第２群レンズである。１０５は変倍に伴う焦点面の移動補正及びピント合わせの機能を兼ね備えたフォーカスコンペレンズ（以下、フォーカスレンズ）である。
【００１６】
１０６はＣＣＤなどの撮像素子、１０７は撮像素子１０６の出力をサンプリング、ゲイン調整、デジタル化するコンバータである。１０８はコンバータ１０７の出力からハイレベルの方向について、後述のカメラ信号処理で使用する領域の信号のみを切り出し、クロックのタイミングを合わせるメモリである。１０９はメモリ１０８からの出力信号を処理して映像信号を生成するカメラ信号処理回路である。１１０は磁気テープ、光ディスク、半導体メモリなどが使用される記録装置である。
【００１７】
１１１は撮像素子１０６を駆動する駆動パルス発生器、１１２はフォーカスレンズ１０５を移動させるためのアクチュエータ、１１３はアクチュエータ１１２を後述のＡＦマイコン１１４からの信号により駆動するドライバである。１１４は後述の焦点信号処理回路１１５から出力される焦点信号（焦点評価値）に基づいてドライバ１１３を制御し、フォーカスレンズ１０５を駆動するＡＦマイコンである。１１５はメモリ１０８の出力信号中より焦点検出に用いられる高周波成分を抽出する焦点信号処理回路である。
【００１８】
次に、ＡＦマイコン１１４で行われるオートフォーカス制御について、図３のフローチャートにしたがって説明する。
【００１９】
ステップＳ４０１から処理を開始し、まずステップＳ４０２では、焦点信号処理回路１１５内より焦点信号を取得するための測距枠（オートフォーカス領域）の位置と大きさを設定する。具体的には、図３の第１測距枠と第２測距枠を設定する。次のステップＳ４０３では、焦点信号処理回路１１５内のフィルタ係数を設定し、抽出特性の異なる複数のバンドパスフィルタを構築する。抽出特性とは、バンドパスフィルタ（ＢＰＦ）の周波数特性であり、ここでの設定とは、焦点信号処理回路１１５内のバンドパスフィルタの設定値を変更することを意味する。これは、例えば図５にあるようなＦＩＲ型のデジタルフィルタであれば、係数ｈ０〜ｈ４を変更することに等しい。ここではＦＩＲ型デジタルフィルタを例に挙げたが、バンドパスフィルタの構成は特に問わない。具体的には、第１測距枠の映像信号に対しては高周波数と低周波数のバンドパスフィルタを構築し、第２測距枠の映像信号に対しては低周波数のバンドパスフィルタを構築する。その理由は後述する。
【００２０】
次のステップＳ４０４では、焦点信号処理回路１１５より焦点信号を取得する。ここで取得した焦点信号は所定比率で加算したのち、以降のオートフォーカス制御に使用される。ここでの詳細な動作は後述する。次のステップＳ４０５では、微小駆動モードであるかを判定し、そうである場合はステップＳ４０６以降の微小駆動処理へ進み、そうでない場合はステップＳ４１２へ進む。
【００２１】
微小駆動モードであるとしてステップＳ４０６へ進むと、ここでは微小駆動動作を行い、フォーカスレンズ１０５を焦点深度内で駆動し、合焦しているか、あるいはどちらの方向に合焦点が存在するかを判定する。ここでの詳細な動作は図６にて後述する。次のステップＳ４０７では、合焦判定できたかどうかを判定し、合焦判定できた場合は後述のステップＳ４１０へ進む。一方、合焦判定できなかった場合はステップＳ４０８へ進み、上記ステップＳ４０６での微小駆動動作で方向判別できたかどうかを判定する。その結果、方向判別できた場合はステップＳ４０９へ進み、山登り駆動モードへ移行し、その後はステップＳ４０２に戻る。また、方向判別できなかった場合はステップＳ４０２へ直ちに戻り、微小駆動モードを継続する。
【００２２】
上記ステップＳ４０７にて合焦判定できたとしてステップＳ４１０へ進むと、ここでは合焦時の焦点信号状態をメモリ１０８に格納する。そして、ステップＳ４１１へ進み、再起動判定モードへ移行する。その後はステップＳ４０２に戻る。
【００２３】
上記ステップＳ４０５にて微小駆動モードでないとしてステップＳ４１２へ進むと山登り駆動モードであるかを判定する。その結果、山登り駆動モードある場合はステップＳ４１３以降の山登り駆動処理へ進む、山登り駆動モードでない場合はステップＳ４１７へ進む。
【００２４】
山登り駆動モードであるとしてステップＳ４１３へ進むと、ここでは焦点信号が大きくなる方向へ所定の速度でフォーカスレンズ１０５を山登り駆動する。ここでの詳細な動作は図７にて後述する。次のステップＳ４１４では、上記ステップＳ４１３での山登り駆動で焦点信号のピーク位置が発見されたかどうかを判定する。その結果、ピーク位置が発見された場合はステップＳ４１５へ進み、ピーク位置が発見されない場合は直ちにステップＳ４０２へ戻り、山登り駆動モードを継続する。
【００２５】
ピーク位置が発見されたとしてステップＳ４１５へ進むと、ここでは焦点信号がピークとなったフォーカスレンズ位置を目標位置に設定する。そして、次のステップＳ４１６にて、停止モードへ移行する。その後はステップＳ４０２に戻る。
【００２６】
上記ステップＳ４１２にて山登り駆動モードでないと判定してステップＳ４１７へ進むと、ここでは停止モードであるかを判定する。その結果、停止モードである場合はステップＳ４１８以降の停止処理へ進み、停止モードでない場合ステップＳ４２０へ進む。
【００２７】
停止モードであるとしてステップＳ４１８へ進むと、ここではフォーカスレンズ１０５が焦点信号のピークとなる位置に戻ったかどうかを判定する。その結果、ピーク位置に戻ったことを判定するとステップＳ４１９へ進み、微小駆動モードへの移行を行い、その後はステップＳ４０２に戻る。一方、フォーカスレンズ１０５が焦点信号のピークとなる位置に戻っていないことを判定すると直ちにステップＳ４０２へ戻り、停止モードを継続する。
【００２８】
上記ステップＳ４１７にて停止モードでないとしてステップＳ４２０へ進むと、ここでは上記ステップＳ４１０で保持した焦点信号と現在の焦点信号を比較し、そのレベルの変動が大きいかどうかを判定する。その結果、焦点信号が大きく変動していればステップＳ４２１へ進み、微小駆動モードへ進み、その後はステップＳ４０２へ戻る。ステップＳ４２０以降の動作は再起動判定モードの動作である。一方、焦点信号が大きく変動していなければ直ちにステップＳ４０２へ戻る。
【００２９】
次に、上記焦点信号処理回路１１５からの焦点信号の取得について、解決すべき課題である図３のシーンを例にとって説明する。
【００３０】
図３では、撮影画面中央の第１測距枠内部に焦点をあてるべき主被写体Ａが存在するにも拘わらず、第１測距枠の周辺に位置する第２測距枠内部に、主被写体Ａとは異なる被写体Ｂが存在している。そのため、抽出される焦点信号には被写体Ｂの影響が与えられてしまっていた。図８はこのときの焦点信号の様子であり、オートフォーカス制御に使用するための従来の演算を行った結果は、図９のようになる。すなわち、焦点信号が被写体Ｂの影響を受けたことにより、現在のフォーカス位置が範囲ｂにある場合には、主被写体Ａを発見することができず、撮影者の意図に反して被写体Ｂに合焦してしまうことになる。
【００３１】
一般に、高周波バンドパスフィルタから得られた急峻な焦点信号は、被写体の合焦判定に、低周波バンドパスフィルタから得られた比較的平坦な焦点信号は、大ボケ時の方向判定に、それぞれ大きく貢献する。
【００３２】
そこで、主被写体Ａ以外の被写体Ｂの存在の可能性が高い第２測距枠では高周波成分を使用せず、低周波成分のみを使用した場合、図８の焦点信号を所定比率で加算した結果は図１０のようになる。この演算結果を使用してオートフォーカス制御を行ったとき、現在のフォーカス位置に拘わらず、主被写体Ａの位置に移動することが可能となる。
【００３３】
上記の処理は、測距枠の状態、すなわち撮影画面における測距枠の位置および大きさに応じて、オートフォーカス制御に使用すべき主たる抽出特性の焦点信号を選択することに他ならない。これにより、第２測距枠に存在する、主被写体Ａとは異なる被写体Ｂが焦点信号に与える影響を抑制し、撮影者の意図する主被写体Ａに対して安定したオートフォーカス制御を行うことができる。図１０の焦点信号は図４のステップＳ４０４にて取得される。
【００３４】
次に、図４のステップＳ４０６にて実行される微小駆動動作について、図６のフローチャートにしたがって説明する。
【００３５】
ステップＳ６０１から処理を開始し、まずステップＳ６０２では、垂直同期信号に同期したルーチン処理回数を計数するカウンタの現在値を判定し、０であればステップＳ６０３のフォーカスレンズ１０５が至近側にある場合の処理へ進み、それ以外であればステップＳ６０４へ進む。
【００３６】
現在のカウンタが０であるとしてステップＳ６０３へ進むと、ここではフォーカスレンズ位置が至近側にある場合の処理として、焦点信号を保持する。ここでの焦点信号は、後述のステップＳ６１１でフォーカスレンズ位置が無限側にあるときに撮像素子１０６に蓄積された電荷から生成された映像信号によるものである。
【００３７】
また、現在のカウンタが０でないとしてステップＳ６０４へ進むと、ここでは再び現在のカウンタを判定し、１であればステップＳ６０５以降のフォーカスレンズを無限側に駆動する処理へ進み、それ以外であればステップＳ６１０へ進む。
【００３８】
現在のカウンタが１であるとしてステップＳ６０５へ進むと、ここでは振動振幅、中心移動振幅を演算する。これらの振幅は焦点深度内に設定されるのが一般的である。次のステップＳ６０６では、上記ステップＳ６０３で保持した至近側の焦点信号レベルと後述のステップＳ６１１で保持した無限側の焦点信号レベルを比較する。その結果、後者が大きい場合はステップＳ６０７へ進み、振動振幅と中心移動振幅を加算して駆動振幅を求める。また、前者が大きい場合はステップＳ６０８へ進み、振動振幅を駆動振幅とする。
【００３９】
その後はステップＳ６０９へ進み、上記ステップＳ６０７またはステップＳ６０８で求めた駆動振幅を用い、無限方向へ駆動する。そして、後述のステップＳ６１７へ進む。
【００４０】
上記ステップＳ６０４にて現在のカウンタが１でないとしてステップＳ６１０へ進むと、ここでは再度現在のカウンタを判定し、２であればステップＳ６１１のフォーカスレンズが無限側にある場合の処理へ進み、それ以外であればステップＳ６１２へ進む。
【００４１】
現在のカウンタが２であるとしてステップＳ６１１へ進むと、ここではフォーカスレンズ位置が無限側にある場合の処理として、焦点信号を保持する。ここでの焦点信号は、上記ステップＳ６０３でフォーカスレンズ位置が至近側にあるときに撮像素子１０６に蓄積された電荷から生成された映像信号によるものである。
【００４２】
上記ステップＳ６１０にて現在のカウンタが２でないとしてステップＳ６１２へ進むと、ここでは振動振幅、中心移動振幅を演算する。これらの振幅は焦点深度内に設定されるのが一般的である。次のステップＳ６１３では、上記ステップＳ６１１で保持した無限側の焦点信号レベルと上記ステップＳ６０３で保持した至近側の焦点信号レベルを比較する。その結果、後者が大きい場合はステップＳ６１４へ進み、振動振幅と中心移動振幅を加算し、駆動振幅を求める。また、前者が大きい場合はステップＳ６１５へ進み、振動振幅を駆動振幅とする。
【００４３】
その後はステップＳ６１６へ進み、上記ステップＳ６１４またはステップＳ６１５で求めた駆動振幅を用い、至近方向へ駆動する。そして、ステップＳ６１７へ進む。
【００４４】
ステップＳ６１７へ進むと、ここでは所定回数連続して同一方向に合焦点が存在しているかを判定し、そうである場合はステップＳ６２０へ進み、方向判定できたと判別して、ステップＳ６２１へ進む。また、そうでない場合はステップＳ６１８へ進む。
【００４５】
また、所定回数連続して同一方向に合焦点が存在していないことを判定するとステップＳ６１８へ進み、ここではフォーカスレンズ１０５が所定回数同一エリアで往復しているかを判定する。その結果、所定回数同一エリアで往復している場合はステップＳ６１９へ進み、合焦判定できたと判別し、ステップＳ６２１へ進む。また、所定回数同一エリアで往復していない場合は直ちにステップＳ６２１へ進む。
【００４６】
ステップＳ６２１へ進むと、ここではカウンタが３であれば０に戻し、その他の値であればカウンタを加算して、ステップＳ６２２にて図４のメインルーチンへ戻る。
ステップＳ６２２は処理の終了を示す。
【００４７】
上記の微小駆動におけるフォーカスレンズ動作の時間経過を、図１１（ａ），（ｂ）に示す。なお、図１１（ａ）は映像信号の垂直同期信号であり、横軸は時間を、縦軸はフォーカスレンズ位置を、それぞれ示している。
【００４８】
ラベルＡの時刻に撮像素子１０６に蓄積された電荷に対する焦点信号ＥＶAは、時刻ＴAでＡＦマイコン１１４に取り込まれる。また、ラベルＢの時刻に撮像素子１０６に蓄積された電荷に対する焦点信号ＥＶＢは、時刻ＴＢでＡＦマイコン１１４に取り込まれる。時刻ＴＣでは、焦点信号ＥＶAとＥＶＢを比較し、ＥＶＢが大きい場合のみ振動中心を移動する。なお、ここでのフォーカスレンズ１０５の移動は焦点深度を基準とし、画面で認識できない移動量に設定する。
【００４９】
次に、図４のステップＳ４１３にて実行される山登り駆動動作について、図７のフローチャートにしたがって説明する。
【００５０】
ステップＳ７０１から処理を開始し、まずステップＳ７０２では、焦点信号のレベルが前回のものより増加しているかを判定する。その結果、増加している場合はステップＳ７０３へ進み、フォーカスレンズ１０５を前回と同じ方向に所定速度で山登り駆動し、次のステップＳ７０７で図４のメインルーチンに戻る。
【００５１】
また、焦点信号のレベルが前回のものより増加していない場合はステップＳ７０４へ進み、ここでは焦点信号がピークを越えて減少しているかを判定する。その結果、焦点信号がピークを越えて減少している場合はステップＳ７０６へ進み、ピーク位置を発見したと判定し、次のステップＳ７０７で図４のメインルーチンに戻る。また、それ以外の要因で減少している場合はステップＳ７０５へ進み、フォーカスレンズ１０５を前回と逆の方向に所定速度で山登り駆動し、次のステップＳ７０７で図４のメインルーチンに戻る。
【００５２】
上記山登り駆動動作時のフォーカスレンズ１０５の動きを示したものが、図１２である。図１２において、フォーカスレンズ１０５が範囲Ａのように駆動している場合は焦点信号が増加しているため、同じ方向への山登り駆動を継続する。ここで、フォーカスレンズ１０５を範囲Ｂで駆動すると焦点信号はピーク位置を越えて減少する。このとき、合焦点が存在するとして山登り駆動動作を終了し、フォーカスレンズ１０５をピーク位置まで戻した後、微小駆動動作に移行する。一方、範囲Ｃのようにピーク位置を越えずに焦点信号が減少した場合は、駆動すべき方向を間違えたものとして反転し、山登り駆動動作を継続する。
【００５３】
このように、再起動判定→微小駆動→山登り駆動→停止→微小駆動→再起動判定を繰り返しながらフォーカスレンズ１０５を移動させることで、焦点信号が常に最大となるようにＡＦマイコン１１４は制御を行い、合焦状態を維持する。
【実施例２】
【００５４】
図１３は本発明の実施例２に係る撮像装置の回路構成を示すブロック図である。図１３において、１３０１は固定の第１群レンズ、１３０２は変倍を行う変倍レンズ、１３０３は絞り、１３０４は固定の第２群レンズである。１３０５は変倍に伴う焦点面の移動補正及びピント合わせの機能を兼ね備えたフォーカスコンペレンズ（以下、フォーカスレンズ）である。
【００５５】
１３０６はＣＣＤなどの撮像素子、１３０７は撮像素子１３０６の出力をサンプリング、ゲイン調整、デジタル化するコンバータである。１３０８はコンバータ１３０７の出力からハイレベルの方向について、後述のカメラ信号処理で使用する領域の信号のみを切り出し、クロックのタイミングを合わせるメモリである。１３０９はメモリ１３０８からの出力信号を処理して映像信号を生成するカメラ信号処理回路である。１３１０は磁気テープ、光ディスク、半導体メモリなどが使用される記録装置である。
【００５６】
１３１１は撮像素子１３０６を駆動する駆動パルス発生器、１３１２はフォーカスレンズ１３０５を移動させるためのアクチュエータ、１３１３はアクチュエータ１３１２を後述のＡＦマイコン１３１４からの信号により駆動するドライバである。１３１４は後述の焦点信号処理回路１３１５の出力信号に基づいてドライバ１３１３を制御し、フォーカスレンズ１３０５を駆動するＡＦマイコンである。１３１５はメモリ１３０８の出力信号中より焦点検出に用いられる高周波成分を抽出する焦点信号処理回路である。１３１６は切換スイッチであり、高解像度のフォーマット（ＨＤ）と従来解像度のフォーマット（ＳＤ）の何れかの記録フォーマットに切り換え可能である。
【００５７】
記録方式が高解像度のフォーマット（ＨＤ）では、より敏感な合焦判定を必要とするため、焦点信号処理回路１３１５内のバンドパスフィルタの中心周波数を高く設定して、急峻な焦点信号を使用するのが一般的である。一方、記録フォーマットが従来解像度のフォーマット（ＳＤ）である場合は、合焦判定を行うための焦点信号は前者のように急峻なものを使用する必要はない。
【００５８】
そこで、本実施例２では、切換スイッチ１３１６により決定された記録フォーマットに基づいて、オートフォーカス制御に使用すべき主たる抽出特性の焦点信号取得方法を決定する。すなわち、上記実施例１の特徴である測距枠の状態に応じた焦点信号の抽出特性の選択を、記録フォーマットが高解像度である場合は許可し、そうでない場合は禁止するものとする。
【００５９】
これにより、高解像度フォーマットにおける図３のシーンのような問題も、第２測距枠に存在する、主被写体Ａとは異なる被写体Ｂが焦点信号に与える影響を抑制でき、安定したオートフォーカス制御を行うことができる。
【図面の簡単な説明】
【００６０】
【図１】本発明の実施例１に係る撮像装置のシステム構成を示す図である。
【図２】焦点信号の特性を示す図である。
【図３】主被写体以外の被写体に焦点信号が影響されるシーンの例を示す図である。
【図４】本発明の実施例１におけるオートフォーカス制御を示すフローチャートである。
【図５】本発明の実施例１に係るＦＩＲ型デジタルフィルタを示す構成図である。
【図６】図４の微小駆動モード時の動作を示すフローチャートである。
【図７】図４の山登り駆動モード時の動作を示すフローチャートである。
【図８】図３のシーンでの各測距枠の焦点信号状態を示す図である。
【図９】従来手法による焦点信号演算結果を示す図である。
【図１０】本発明の実施例１による焦点信号演算結果を示す図である。
【図１１】本発明の実施例１における微小駆動のフォーカスレンズ動作を示す図である。
【図１２】本発明の実施例１における山登り駆動のフォーカスレンズ動作を示す図である。
【図１３】本発明の実施例２に係る撮像装置のシステム構成を示す図である。
【符号の説明】
【００６１】
１０１      第１群レンズ
１０２      変倍レンズ
１０５      フォーカスレンズ
１０６      撮像素子
１０８      メモリ
１０９      カメラ信号処理回路
１１０      記録装置
１１４      ＡＦマイコン
１１５      焦点信号処理回路
１３０１    第１群レンズ
１３０２    変倍レンズ
１３０５    フォーカスレンズ
１３０６    撮像素子
１３０８    メモリ
１３０９    カメラ信号処理回路
１３１０    記録装置
１３１４    ＡＦマイコン
１３１５    焦点信号処理回路
【図１】
2008046226.tif 000003
【図２】
2008046226.tif 000004
【図３】
2008046226.tif 000005
【図４】
2008046226.tif 000006
【図５】
2008046226.tif 000007
【図６】
2008046226.tif 000008
【図７】
2008046226.tif 000009
【図８】
2008046226.tif 000010
【図９】
2008046226.tif 000011
【図１０】
2008046226.tif 000012
【図１１】
2008046226.tif 000013
【図１２】
2008046226.tif 000014
【図１３】
2008046226.tif 000015